(57)【要約】【課題】この発明は、広告の手法としてのユニークさによって受け手の関心を集める効果を高め、通常のメディア以上に口コミによる広告の浸透を図ることを目的とする。【解決手段】この発明は、広告主側の広告主側端末機と広告掲載者側の掲載者側端末機とを電気通信回線を介して広告管理会社の管理サーバに接続し、管理サーバは、広告掲載者の広告価値情報を収集して広告主側端末機に配信し、広告主側端末機からミドルネームの掲載依頼情報を受信した場合に、特定の広告掲載者の掲載者側端末機に掲載依頼情報を発信し、この掲載者側端末機からミドルネームの掲載許諾情報を受信した場合に、広告主側端末機及び掲載者側端末機に契約情報を発信し、広告主側端末機及び掲載者側端末機から契約受諾情報を受信した場合に、広告主側端末機及び掲載者側端末機に契約締結情報を発信することを特徴とする。【選択図】図１
2008040732.tif 000002
【特許請求の範囲】
【請求項１】
広告スペースを欲する広告主側に広告主側端末機を設け、名前の姓と名との間に広告スペースとしてのミドルネームを追加可能な広告掲載者側に掲載者側端末機を設け、前記広告主側端末機と前記掲載者側端末機とを電気通信回線を介して接続する管理サーバを広告管理会社に設け、前記管理サーバは、前記広告掲載者の広告価値情報を収集して前記広告主側端末機に配信し、前記広告主側端末機から特定の広告掲載者の名前についてミドルネームの掲載依頼情報を受信した場合に、特定の広告掲載者の掲載者側端末機にミドルネームの掲載依頼情報を発信し、このミドルネームの掲載依頼情報を発信した掲載者側端末機からミドルネームの掲載許諾情報を受信した場合に、前記広告主側端末機及び掲載者側端末機にミドルネームの掲載についての契約情報を発信し、前記広告主側端末機及び掲載者側端末機から契約の締結を受諾する契約受諾情報を受信した場合に、前記広告主側端末機及び掲載者側端末機にミドルネームの掲載についての契約締結情報を発信することを特徴とするミドルネームを使用した広告管理システム。
【発明の詳細な説明】
【技術分野】
【０００１】
この発明はミドルネームを使用した広告管理システムに係り、特に、広告の手法としてのユニークさによって受け手の関心を集める効果を高めることができ、通常のメディア以上に口コミによる広告の浸透を図ることができるミドルネームを使用した広告管理システムに関する。
【背景技術】
【０００２】
商品の販売促進や企業名を広めるための広告においては、ちらしやパンフレットなどの印刷物、テレビやインターネット等の映像、あるいは、電車や飛行機等の交通機関等の表示対象に広告を表示することにより、受け手に商品名や企業名を記憶させるようにしている。
【０００３】
従来のインターネットを利用した広告方法には、広告主の広告を入れるための広告領域及び使用者の署名を入れるための署名領域を有するネームプレートを電子メールに使用するファイル形式で作成して広告配信用サーバに記憶しておき、使用者が使用者側端末機で広告配信用サーバにアクセスして気に入ったネームプレートをダウンロードし、電子メールを送信するときに、ネームプレートの署名領域に署名を書き込んで電子メールの本文に挿入することで、電子メールの受け手に広告を通知可能としたものがある。
【特許文献１】特開２０００−３２２３４７号公報
【発明の開示】
【発明が解決しようとする課題】
【０００４】
ところが、前記特許文献１に開示される広告方法は、使用者が送信する電子メールの本文に文字や画像を含む広告領域を挿入しているだけであり、広告の手法としてユニークとは言えないものであるため、受け手の関心を集める効果を期待し難い問題があり、受け手からの珍しさによる問い合わせを期待することができないため、口コミによる広告の浸透を期待することができな問題がある。
【０００５】
また、前記特許文献１に開示される広告方法は、使用者が使用者側端末機で広告配信用サーバにアクセスし、広告の入ったネームプレートをダウンロードして電子メールの本文に使用することを期待しているため、ネームプレートが電子メールに使用されない場合もあり、確実に広告が行われるとは言い難い問題がある。
【０００６】
この発明は、広告の手法としてのユニークさによって受け手の関心を集める効果を高めることができ、通常のメディア以上に口コミによる広告の浸透を図ることができるミドルネームを使用した広告管理システムを提供することを目的とする。
【課題を解決するための手段】
【０００７】
この発明は、広告スペースを欲する広告主側に広告主側端末機を設け、名前の姓と名との間に広告スペースとしてのミドルネームを追加可能な広告掲載者側に掲載者側端末機を設け、前記広告主側端末機と前記掲載者側端末機とを電気通信回線を介して接続する管理サーバを広告管理会社に設け、前記管理サーバは、前記広告掲載者の広告価値情報を収集して前記広告主側端末機に配信し、前記広告主側端末機から特定の広告掲載者の名前についてミドルネームの掲載依頼情報を受信した場合に、特定の広告掲載者の掲載者側端末機にミドルネームの掲載依頼情報を発信し、このミドルネームの掲載依頼情報を発信した掲載者側端末機からミドルネームの掲載許諾情報を受信した場合に、前記広告主側端末機及び掲載者側端末機にミドルネームの掲載についての契約情報を発信し、前記広告主側端末機及び掲載者側端末機から契約の締結を受諾する契約受諾情報を受信した場合に、前記広告主側端末機及び掲載者側端末機にミドルネームの掲載についての契約締結情報を発信することを特徴とする。
【発明の効果】
【０００８】
この発明のミドルネームを使用した広告管理システムは、日本では比較的珍しいミドルネームが名前の姓と名との間に付けられていることと、このミドルネームが商品名や会社名等の広告であることとのユニークな組み合わせであることから、広告の手法としてのユニークさによって受け手の関心を集める効果を高めることができ、また、受け手からミドルネームを掲載した広告掲載者への珍しさからの問い合わせで、受け手にミドルネームを説明する機会を増やすことができ、通常のメディア以上に口コミによる広告の浸透を図ることができる。
【発明を実施するための最良の形態】
【０００９】
この発明は、日本では比較的珍しいミドルネームが名前の姓と名との間に付けられていることと、このミドルネームが商品名や会社名等の広告であることとのユニークな組み合わせで、受け手の関心を集める効果を高め、また、ミドルネームを説明する機会を増やして、通常のメディア以上に口コミによる広告の浸透を図るものである。
以下、図面に基づいて、この発明の実施例を説明する。
【実施例】
【００１０】
図１〜図２は、この発明の実施例を示すものである。図１は広告管理システムの構成図、図２は広告管理システムのシーケンス図である。図１において、１はミドルネームを使用した広告管理システムである。この広告管理システム１は、広告主側端末機２と掲載者側端末機３と管理サーバ４とを備えている。管理サーバ４は、広告主側端末機２と掲載者側端末機３とを電気通信回線（インターネット）５を介して接続している。
【００１１】
前記広告主側端末機２は、広告スペースを欲する広告主Ａ側に設けられ、入力機能と表示機能と通信機能と処理機能とを有し、これら各機能により管理サーバ４との間で情報を処理する。前記掲載者側端末機３は、名前の姓と名との間に広告スペースとしてのミドルネームを追加可能な広告掲載者Ｂ側に設けられ、入力機能と表示機能と通信機能と処理機能とを有し、これら各機能により管理サーバ４との間で情報を処理する。
【００１２】
前記管理サーバ４は、広告管理会社Ｃ側に設けられ、入力機能と表示機能と通信機能と処理機能とを有し、これら各機能により広告主側端末機２と掲載者側端末機３との間で情報を処理する。なお、ミドルネームとは、名前の姓と名との間に挿入された広告スペースであって、「ミドルネーム」という名称の文字列が入る広告スペースを意味する。
【００１３】
前記電気通信回線５には、ｗｅｂサイトサーバ６、メールサーバ７、第三者側端末機８等が接続されている。前記ｗｅｂサイトサーバ６には、前記掲載者側端末機３によりホームページや、執筆物、ブログ等が開設されている。また、前記メールサーバ７は、掲載者側端末機３と第三者側端末機８との間で電気通信回線５を介して電子メールを配信する。前記第三者側端末機８は、前記広告主Ａ、広告掲載者Ｂ、広告管理会社Ｃ以外の第三者Ｄ側に設けられ、入力機能と表示機能と通信機能と処理機能とを有し、これら各機能によりｗｅｂサイトサーバ６にアクセスしてホームページの閲覧やブログへの書き込み等が可能となっており、また、メールサーバ７を介して掲載者側端末機３や他の第三者側端末機８との間で電子メールを送受信可能となっている。
【００１４】
前記管理サーバ４は、広告掲載者Ｂの広告価値情報を収集して広告主側端末機２に配信する。広告価値情報とは、名前の姓と名との間に広告スペースとしてのミドルネームを追加可能な広告掲載者Ｂについて、広告主Ａが広告掲載を依頼する場合の判断となり得る要素である。広告価値情報には、個人の名前（もしくはニックネーム）や、企業名の他、所有しているホームページ、ブログのＵＲＬ、アクセス数等、また、企業の場合は従業員数、名前にミドルネームを追加可能な部署名とその機能、名刺の配布数、従業員の露出機会等がある。広告主Ａは、広告価値情報をもとに広告掲載の判断をすることができる。
【００１５】
前記管理サーバ４は、広告主側端末機２から特定の広告掲載者Ｂの名前についてミドルネームの掲載依頼情報を受信した場合に、特定の広告掲載者Ｂの掲載者側端末機３にミドルネームの掲載依頼情報を発信する。管理サーバ４は、このミドルネームの掲載依頼情報を発信した掲載者側端末機３からミドルネームの掲載許諾情報を受信した場合に、広告主側端末機２及び掲載者側端末機３にミドルネームの掲載についての契約情報を発信し、広告主側端末機２及び掲載者側端末機３から契約の締結を受諾する契約受諾情報を受信した場合に、広告主側端末機２及び掲載者側端末機３にミドルネームの掲載についての契約締結情報を発信する。
【００１６】
次に、この実施例の作用を、図２にしたがって説明する。
ミドルネームを使用した広告管理システム１は、管理サーバ４に、広告掲載者Ｂの広告価値情報を随時収集して更新し、蓄積している。広告価値情報は、予め名前の姓と名との間に広告スペースとしてのミドルネームの追加に同意した広告掲載者Ｂについて、蓄積している。管理サーバ４は、蓄積した広告掲載者Ｂの広告価値情報を広告主側端末機２に配信する（Ｓ１）。
【００１７】
広告主側端末機２には、広告を実施したい商品やサービス、企業名から置き換えられたミドルネームの文字列が入力されている。広告主側端末機２は、受信した広告価値情報をもとに、入力されているミドルネームの掲載に最適な名前の広告掲載者Ｂを広告主Ａに判断させて選択する。広告主側端末機２は、広告主Ａの許諾の下で、選択された特定の広告掲載者Ｂの名前について、管理サーバ４にミドルネームの掲載を依頼する掲載依頼情報を発信する（Ｓ２）。
【００１８】
管理サーバ４は、広告主側端末機２から特定の広告掲載者Ｂの名前についてミドルネームの掲載依頼情報を受信した場合に、特定の広告掲載者Ｂの掲載者側端末機３にミドルネームの掲載を依頼する掲載依頼情報を発信する（Ｓ３）。
【００１９】
ミドルネームの掲載依頼情報を受信した掲載者側端末機３は、受信したミドルネームの掲載依頼情報を広告掲載者Ｂに検討させ、ミドルネームの掲載について諾否の情報を管理サーバ４に発信する。
【００２０】
管理サーバ４は、ミドルネームの掲載依頼情報を発信した掲載者側端末機３から、ミドルネームの掲載を許諾する掲載許諾情報を受信した場合に（Ｓ４）、ミドルネームの掲載を依頼する内容の契約情報（広告料、広告期間、ミドルネーム文字列等）を広告主側端末機２に発信し（Ｓ５）、ミドルネームの掲載を受諾する内容の契約情報（掲載料、掲載期間、ミドルネーム文字列等）を掲載者側端末機３に発信する（Ｓ６）。
【００２１】
契約情報を受信した広告主側端末機２は、契約内容を広告主Ａに検討させ、ミドルネームの掲載の契約締結について諾否の情報を管理サーバ４に発信する。また、契約情報を受信した掲載者側端末機３は、契約内容を広告掲載者Ｂに検討させ、ミドルネームの掲載の契約締結について諾否の情報を管理サーバ４に発信する。
【００２２】
管理サーバ４は、広告主側端末機２から契約の締結を受諾する契約受諾情報を受信した場合に（Ｓ７）、契約を取り交わし（Ｓ８）、広告主側端末機２にミドルネームの掲載についての契約締結情報を発信する（Ｓ９）。契約締結情報を受信した広告主側端末機２は、必要に応じて広告料の支払い情報を管理サーバ４に送信する（Ｓ１０）。
【００２３】
また、管理サーバ４は、掲載者側端末機３から契約の締結を受諾する契約受諾情報を受信した場合に（Ｓ１１）、契約を取り交わし（Ｓ１２）、掲載者側端末機３にミドルネームの掲載についての契約締結情報を発信する（Ｓ１３）。契約締結情報を受信した掲載者側端末機３は、必要に応じて掲載料の受領情報を管理サーバ４に送信する（Ｓ１４）。
【００２４】
管理サーバ４は、これらの広告主側端末機２及び掲載者側端末機３との間で送受信された各種の情報を管理する（Ｓ１５）。
【００２５】
掲載者側端末機３は、ｗｅｂサイトサーバ６に開設したホームページや執筆物、ブログについて、記載される本名やニックネーム、ハンドルネーム、ブログネーム等の名前の姓と名との間に、ミドルネームを追加して掲載する（Ｓ１６）。ミドルネームを追加した名前は、例えば、名前を「日本・太郎」とし、ミドルネーム文字列を「ａｄｖｅｒｔｉｓｅ」とすると、「日本・ａｄｖｅｒｔｉｓｅ・太郎」のように記載される。
【００２６】
このミドルネームを追加した名前「日本・ａｄｖｅｒｔｉｓｅ・太郎」が掲載されたホームページやブログは、第三者側端末機８によりアクセスされて第三者Ｄに閲覧された際に（Ｓ１７）、ミドルネームを追加した名前「日本・ａｄｖｅｒｔｉｓｅ・太郎」の珍しさに注目させて、「ａｄｖｅｒｔｉｓｅ」に関心を集めることができる。
【００２７】
また、掲載者側端末機３は、第三者側端末機８に電子メールを送信する際に、前記ミドルネームを追加した名前「日本・ａｄｖｅｒｔｉｓｅ・太郎」を電子メールの署名として掲載し、送信する（Ｓ１８）。ミドルネームを追加した名前「日本・ａｄｖｅｒｔｉｓｅ・太郎」が署名された電子メールは、第三者側端末機８に受信されて第三者Ｄに読まれた際に、ミドルネームを追加した名前「日本・ａｄｖｅｒｔｉｓｅ・太郎」の珍しさに注目させて、「ａｄｖｅｒｔｉｓｅ」に関心を集めることができる。
【００２８】
このように、このミドルネームを使用した広告管理システム１は、日本では比較的珍しいミドルネームが名前の姓と名との間に付けられていることと、このミドルネームが商品名や会社名等の広告であることとのユニークな組み合わせであることから、広告の手法としてのユニークさによって受け手の関心を集める効果を高めることができる。
【００２９】
また、このミドルネームを使用した広告管理システム１は、ミドルネームの珍しさから広告掲載者Ｂに対して問い合わせたいという気持ちを受け手に抱かせることができ、受け手からミドルネームを掲載した広告掲載者Ｂへの珍しさからの問い合わせで、広告掲載者Ｂに受け手に対してミドルネームを説明する機会を増やすことができ、通常のメディア以上に口コミによる広告の浸透を図ることができる。
【００３０】
このミドルネームを使用した広告管理システム１は、上述実施例に限定されることなく、種々応用改変が可能である。
【００３１】
例えば、変形例の広告管理システム１は、掲載者側端末機３に送信される契約締結情報にミドルネームの掲載料の設定方法を含み、掲載者側端末機３にミドルネームが使用された回数をカウントする機能を有している。ミドルネームが使用された回数は、例えば、ミドルネームを追加した名前「日本・ａｄｖｅｒｔｉｓｅ・太郎」を署名として掲載した電子メールが、第三者側端末機８に送信された回数とすることができる。掲載者側端末機３は、電子メールが送信された回数をカウントして管理サーバ４に使用回数情報を発信する。管理サーバ４は、掲載者側端末機３から受信した使用回数情報に基づいてミドルネームの掲載料を増減するように設定する。
【００３２】
これにより、この変形例の広告管理システム１は、ミドルネームを使用した電子メールの送信回数に応じて掲載料が増減されるので、掲載者側端末機３から電子メールを積極的に送信させるようには広告掲載者Ｂにたらきかけることができ、ミドルネームの使用回数の増加に寄与することができ、広告の浸透を拡大することができる。
【００３３】
なお、前記ミドルネームが使用された回数については、前記電子メールが発信された回数ではなく、ホームページや執筆物、ブログに掲載される名前「日本・ａｄｖｅｒｔｉｓｅ・太郎」中のミドルネーム「ａｄｖｅｒｔｉｓｅ」に広告主Ａが開設するホームページへのリンクを張っておき、アクセスした第三者側端末機８によりミドルネーム「ａｄｖｅｒｔｉｓｅ」がクリックされて広告主Ａのホームページが開かれた回数とすることができる。この場合には、広告を浸透させるだけでなく、第三者Ｄを直接的に広告主Ａのホームページに導くことができ、広告の効果を高めて商品の販売等に貢献することができる。
【００３４】
また、この実施例においては、ミドルネームの使用例として名前の姓と名との間を例示したが、姓の前や名の後に追加して使用することもできる。
【００３５】
さらに、この実施例の広告管理システム１においては、ミドルネームの使用例としてインターネット上のホームページや執筆物、ブログ、電子メールの署名を例示したが、ミドルネームの使用をミドルネームが露出される機会として捕らえると、以下に示すように使用例が考えられる。
【００３６】
（１）ミドルネームの表示対象（表示元）
・個人の戸籍上の名義
・書籍の著作者・執筆者のペンネームや書籍名
書籍：小説、コミック、絵本、コラム、文学、写真集、ジャンルを問わない雑誌、詩集等。
・映像のシナリオ作家・脚本家・撮影者等のペンネームや映像名
映像：映画、テレビ、コマーシャルフィルム、テレビゲーム中に挿入されるムービー、商品のプロモーションビデオ等。
・芸能人の芸名
・スポーツ選手名・チーム名
・インターネット上の有料・無料を問わない会員制または登録制サービス（検索サイト、ＥＣサイト等）の個人を識別するためのＩＤ・ニックネーム・ハンドルネーム・キャラクター名・ログイン名・メールアドレス
・インターネット上の個人・団体・企業が独自に運営するホームページ及び第三者向けにホームページ運営用にその一部を貸し出す有料・無料を問わないホームページ開設サービスを利用した個人・団体・企業が運営するホームページで、代表者または関係者（顧客を含む）が使用するニックネーム・ハンドルネーム・ＩＤ・ログイン名・管理者名（ａｄｍｉｎ名）
・インターネット上の有料・無料を問わない掲示板・チャット・ライブチャットを利用する際のニックネーム、ハンドルネーム、ＩＤ、ログイン名、管理者名（ａｄｍｉｎ名）
・インターネット上のオンラインゲームやインターネット上で運営されるブログで個人を識別するためのニックネーム、ハンドルネーム、ＩＤ、ログイン名、キャラクター名
・飼育者が確認できるペットの名前
・ラジオ放送で紹介されるリスナーのニックネーム、ペンネーム
・そのほか、実在・仮想・無機物・有機物を問わず、全て万物の名称
なお、インターネット上とは、インターネット閲覧機能（ブラウズ）ができるパソコン、携帯電話、ＰＨＳ、ＰＤＡ、ゲーム機、液晶画面テレビ、液晶画面付一般回線電話機からのアクセスをいう。
【００３７】
（２）ミドルネームの表示位置
・「姓」と「名」の間。表示元となる名称の文字列の間
・「姓名（または文字列が分離できないもの）」及び表示元となる名称の周囲３６０度上
・「姓」と「名」及び表示元となる名称の背景として表示（重なり状態）
【００３８】
（３）ミドルネームの表示方法
・テキスト（テキストの静止画およびテロップによる動画として表示）
・音声によるメッセージ
・映像による掲示板
・光・照明（レーザー光線や照明で表示）
【００３９】
（４）ミドルネームの対象媒体（メディア）
・印刷物の対象媒体
名刺、チラシ、パンフレット、書籍、シール、看板、プラカード、表札、名札、カタログ、新聞、社員証、会員証、携帯電話等で読み取れる２次元コードなど暗号化された状態のもの、結婚式場やパーティ会場等で予め来賓席が決められている場合の案内札（プレート）などでの表示。
・動画・映像の対象媒体
テレビ放送、映画、テレビゲーム中の映像、ビデオ・ＤＶＤ−ＲＯＭ・ＣＤ−ＲＯＭなどの記録メディア、インターネット上の動画配信、ストリーミング配信、動画データをダウンロード後に動画再生できるパソコン、携帯電話、ゲーム機、ｉＰＯＤなどの持ち運び音楽再生端末（メモリープレイヤー）などでの表示。公衆の大型テレビの静止画表示。インターネット上でのチャット、掲示板、ホームページ、会員登録制サイト、ブログ、オンラインゲーム等で個人を識別するテキストおよび画像表示。公衆に設置されたテロップ型掲示板での表示。個人所有のテロップ表示が可能なデジタル機器での表示。
・音声の対象媒体
ラジオ放送、カセットテープ・ＣＤ−ＲＯＭ・ＤＶＤ−ＲＯＭなどの記録メディア、インターネット上の音声だけの配信、音声データをダウンロード後に音声再生できるパソコン、携帯電話、ゲーム機、ｉＰＯＤ等の持ち運び音楽再生端末（メモリープレイヤー）、音声再生機能を持つ玩具およびデジタル再生機器、音声再生機能付のメッセージカードおよび本、演説などでの表示。
・ソフトウェアの対象媒体
店頭購入のパソコンソフトウェア、店頭購入のゲームソフト、インターネットでダウンロード購入するパソコンソフトウェア、インターネットでダウンロード購入するゲームソフトのインストール時に入力する登録者名、ニックネーム。メールソフトで設定する送信者名、署名などでの表示。
・光・照明
レーザー光線や照明で表示。
・サービス
サービス業で、従業員（正社員、アルバイト、パート問わず）がニックネーム等の略称で顧客とコミュニケーションを図る場合の適用。風俗店等。
【００４０】
（５）ミドルネームの配信方法
・テキスト
デジタルデータ（ＰＣモニターなどで表示）。印刷物。
・動画
デジタルデータ（データ形式はＤＶＤ−ＲＯＭ・ＣＤ−ＲＯＭ・ビデオテープなどの記録メディアに収録された状態のものも含む）、テレビ、公衆の大型テレビ等に映像配信等の電波映像。
・静止画
デジタルデータ（データ形式はＤＶＤ−ＲＯＭ・ＣＤ−ＲＯＭ・ビデオテープなどの記録メディアに収録された状態のものも含む）、印刷物、写真、インターネット上での画像データ。
・音声
デジタルデータ（データ形式はＤＶＤ−ＲＯＭ・ＣＤ−ＲＯＭ・ビデオテープ・カセットテープなどの記録メディアに収録された状態のものも含む）、ＦＭ・ＡＭラジオ電波。
・バーコードバーコード（ＪＡＮ）、携帯電話等で読み取れる２次元コード（ＱＲコード、マイクロＱＲコード）、他、暗号化されたもの。
【００４１】
（５）ミドルネームの携帯電話を含むインターネット上での機能
下記機能を使い、商品詳細情報、発売元メーカーページ、ミドルネームサービス内容など複数の情報を提供することができる。
・ミドルネーム部分から他サイトへのリンク（ｗｅｂ  ｔｏ機能）
・リンクをクリックをすると、リンク設定されたＵＲＬへジャンプする。プルダウン形式による複数の選択表示を含む。
・ミドルネーム部分からファイルのダウンロード（自動、手動問わず）
・クリックすると設定されたファイル（形式は問わず）、ダウンロードがはじまるパソコンのＯＳの機能でリンク先を保存することを任意で可能
・ミドルネーム部分のアクセス毎の更新（ローテーションバナー）
特定のページに表示されたミドルネームを、アクセスする度に予め設定した複数のミドルネームの中から意図的、またはランダムに表示させる機能
・今後のＯＳのバージョンアップ、またはメールソフトの機能向上により、送信者名のミドルネームにリンクを貼る。
・クリックするとゲーム等がダウンロードできる。
・テキストとしての表示
・携帯電話向け機能として、ｈｔｍｌメールや携帯電話向けＷＥＢサイトからミドルネームをクリックすると電話をかけられる。（ｐｈｏｎｅ  ｔｏ機能の活用）
【００４２】
（６）ミドルネームの管理方法
・重要な広告主等の相手先に応じて、ミドルネームを付ける・消すといった機能を付加する。
【００４３】
このように、このミドルネームを使用した広告は、多用な表示対象や表示媒体、表示方法を利用して広告を行うことができる。
【産業上の利用可能性】
【００４４】
この発明のミドルネームを使用した広告管理システムは、広告の手法としてのユニークさによって受け手の関心を集める効果を高めることができ、通常のメディア以上に口コミによる広告の浸透を図ることができるものであり、電気通信回線を利用して情報を広く伝えるシステムに適用することができる。
【図面の簡単な説明】
【００４５】
【図１】ミドルネームを使用した広告管理システムのブロック図である。
【図２】ミドルネームを使用した広告管理システムのシーケンス図である。
【符号の説明】
【００４６】
１  広告管理システム
２  広告主側端末機
３  掲載者側端末機
４  管理サーバ
５  電気通信回線
６  ｗｅｂサイトサーバ
７  メールサーバ
８  第三者側端末機
Ａ  広告主
Ｂ  広告掲載者
Ｃ  広告管理会社
Ｄ  第三者
【図１】
2008040732.tif 000003
【図２】
2008040732.tif 000004